(57)【要約】【課題】  受光面に光源からの照射光が直接入射することを防止し液晶パネルからの反射光量をフォトセンサにより検出してフリッカが最小となるように液晶表示装置を調整する。【解決手段】  検出装置の受光面に光源の射光面から照射された照射光が直接入射することを防止する直接入射手段を有するので、光源からの照射光は、受光面に直接入射することを防止され、液晶パネルにより反射されて受光面に入射する。この検出装置により検出された反射光量に基づいてフリッカが最小となるように液晶表示装置の共通電極の電位が調整される。これにより、簡単な構成で光源から照射光が検出装置の受光面に直接入射するのを防止し、液晶表示装置の透光状態の画素の電極により反射された反射光量の変化を高感度に検出して、フリッカが最小となるように液晶表示装置の共通電極の電位を正確に調整することができる。【選択図】  図１
2007240627.tif 000002
【特許請求の範囲】
【請求項１】
液晶表示装置の液晶パネルの前面に射光面から照射光を照射する光源を含む光源装置と、前記照射光が前記液晶パネルにより反射された反射光が入射するように前記液晶パネルの前面と対向して配置された検出装置と、該検出装置により検出された反射光量に基づいてフリッカが最小となるように前記液晶表示装置の共通電極の電位を調整する手段とを設けた液晶表示装置用調整装置において、
前記光源装置は、前記検出装置の受光面に前記照射光が直接入射することを防止する直接入射防止手段を備えていることを特徴とする液晶表示装置用調整装置。
【請求項２】
請求項１において、前記直接入射防止手段は、前記検出装置の受光面が前記液晶パネルの前面と対向して配置され、前記光源の射光面が前記液晶パネルの前面と対向して前記検出装置の側方に配置されている構成であることを特徴とする液晶表示装置用調整装置。
【請求項３】
請求項１において、前記直接入射防止手段は、前記光源と前記検出装置との間に配置され、前記照射光が前記検出装置の受光面に直接入射することを防止する遮光体であることを特徴とする液晶表示装置用調整装置。
【請求項４】
請求項１において、前記直接入射防止手段は、前記検出装置の受光面と直角な光軸と前記光源の射光面と直角な光軸とが前記液晶パネル前面の法線に対して等角度傾斜した状態で前記受光面及び前記射光面が前記液晶パネルの前面と対向して配置されている構成であることを特徴とする液晶表示装置用調整装置。
【請求項５】
請求項１において、前記直接入射防止手段は、前記光源からの照射光がハーフミラーにより屈曲されて前記液晶パネルの前面を照射し、該照射光が前記液晶パネルにより反射された反射光が前記ハーフミラーを透過して前記検出装置の受光面に入射される構成であることを特徴とする液晶表示装置用調整装置。
【発明の詳細な説明】
【技術分野】
【０００１】
本発明は、マトリックス状に画素が配置された液晶表示装置のフリッカを最小に調整する装置に関するものである。
【背景技術】
【０００２】
反射型の液晶パネルに対して、パネルの前面から光を照射し、各画素の反射光の強度に基づいて表示される画像の良否を検査する液晶ディスプレイパネル検査装置が特許文献１に記載されている。この検査装置では、導光板１１と、反射板１３付きの蛍光灯１２とからなるパネル型照明器１０が検査用の液晶パネル２０の上部に配置される。導光板１１の液晶パネル２０から離間した面には断面が楔状の複数の溝部１４ａ，１４ｂ・・・１４ｎが、蛍光灯１２と平行となるように形成されている。
【０００３】
液晶パネル２０の表示状態を検査するとき、液晶パネル２０をパネル型照明器１０で照射した状態で駆動回路に駆動信号を与え、液晶パネル２０にテスト画像を表示させて検査員がテスト画像を観察している。このとき、蛍光灯１２からの光束は、導光板１１に入射され、各溝部１４の反射面１５に入射した光束は、略９０度屈曲されて液晶パネル２０の各画素に入射する。光を透過させる状態の各画素を通過した光束は下側電極２６で反射し、再び各画素を通過して導光板１１に入射し、入射角が臨界角より小さい反射面１５を通過してパネル型照明器１０の上面から外方に射出され、画像が検査員により観察される。
【特許文献１】特開２０００−２４９９９８号公報（第３頁、図１）
【発明の開示】
【発明が解決しようとする課題】
【０００４】
特許文献１に記載された液晶ディスプレイパネル検査装置では、パネル型照明器１０の上面から外方に出力される画像を作業員が目視で観察して良否を判定するので、製品にばらつきが生じるとともに、作業員の目が疲労する問題が合った。また、テスト画像導光板１１に複数の溝を正確に形成しなければならないので装置が高価なる不具合があった。
【０００５】
本発明はかかる不具合を解消するためになされたもので、検出装置の受光面に光源から照射された照射光が直接入射することを防止することにより、照射光が液晶パネルで反射された反射光を検出装置により高感度で検出してフリッカが最小となるように液晶表示装置を調整する装置を提供することである。
【課題を解決するための手段】
【０００６】
上記の課題を解決するため、請求項１に係る発明の構成上の特徴は、液晶表示装置の液晶パネルの前面に射光面から照射光を照射する光源を含む光源装置と、前記照射光が前記液晶パネルにより反射された反射光が入射するように前記液晶パネルの前面と対向して配置された検出装置と、該検出装置により検出された反射光量に基づいてフリッカが最小となるように前記液晶表示装置の共通電極の電位を調整する手段とを設けた液晶表示装置用調整装置において、前記光源装置は、前記検出装置の受光面に前記照射光が直接入射することを防止する直接入射防止手段を備えていることである。
【０００７】
請求項２に係る発明の構成上の特徴は、請求項１において、前記直接入射防止手段は、前記検出装置の受光面が前記液晶パネルの前面と対向して配置され、前記光源の射光面が前記液晶パネルの前面と対向して前記検出装置の側方に配置されている構成であることである。
【０００８】
請求項３に係る発明の構成上の特徴は、請求項１において、前記直接入射防止手段は、前記光源と前記検出装置との間に配置され、前記照射光が前記検出装置の受光面に直接入射することを防止する遮光体であることを特徴とする液晶表示装置用調整装置。
【０００９】
請求項４に係る発明の構成上の特徴は、請求項１において、前記直接入射防止手段は、前記検出装置の受光面と直角な光軸と前記光源の射光面と直角な光軸とが前記液晶パネル前面の法線に対して等角度傾斜した状態で前記受光面及び前記射光面が前記液晶パネルの前面と対向して配置されている構成であることである。
【００１０】
請求項５に係る発明の構成上の特徴は、請求項１において、前記直接入射防止手段は、前記光源からの照射光がハーフミラーにより屈曲されて前記液晶パネルの前面を照射し、該照射光が前記液晶パネルにより反射された反射光が前記ハーフミラーを透過して前記検出装置の受光面に入射される構成であることである。
【発明の効果】
【００１１】
上記のように構成した請求項１に係る発明においては、検出装置の受光面に光源の射光面から照射された照射光が直接入射することを防止するので、液晶表示装置の透光状態の画素の電極により反射された反射光量の変化を高感度に検出することができ、フリッカが最小となるように液晶表示装置の共通電極の電位を正確に調整することができる。
【００１２】
上記のように構成した請求項２に係る発明においては、検出装置の受光面が液晶パネルの前面と対向して配置され、光源の射光面が液晶パネルの前面と対向して検出装置の側方に配置されているので、射光面から照射された照射光が受光面に直接入射することを簡素な構成により防止し、液晶パネルにより反射された反射光量の変化を高感度に検出することができる。
【００１３】
上記のように構成した請求項３に係る発明においては、光源の射光面と検出装置の受光面との間に遮光体が配置されているので、射光面から照射された照射光が受光面に直接入射することを簡素な構成により防止し、液晶パネルからの反射光量の変化を高感度に検出することができる。
【００１４】
上記のように構成した請求項４に係る発明においては、検出装置の受光面と光源の射光面が、液晶パネルの前面に対して等角度傾斜した状態で対向して配置されているので、射光面から照射された照射光が受光面に直接入射することを簡素な構成により防止し、液晶パネルにより反射された反射光量の変化を高感度に検出することができる。
【００１５】
上記のように構成した請求項４に係る発明においては、光源からの照射光がハーフミラーにより屈曲されて液晶パネルの前面を照射し、該照射光が液晶パネルにより反射された反射光がハーフミラーを透過して検出装置の受光面に入射されるので、光源からの照射光が検出装置の受光面に直接入射することを確実に防止し、液晶パネルにより反射された反射光量の変化を一層高感度に検出することができる。
【発明を実施するための最良の形態】
【００１６】
以下、図面に基づいて本発明に係る液晶表示装置用調整装置の実施の形態について説明する。この調整装置により共通電極の電位を調整される液晶表示装置１０は、図２に示すように、ガラス基板１１と、ガラス基板１１の中央に設けられた液晶パネル１２と、ガラス基板１１の縁部に圧着された駆動ＩＣチップ１３およびＦＰＣ（Flexible Printed Circuit）１４等から構成されている。ＦＰＣ１４は透明または半透明のフレキシブル基板に電子回路が形成されたもので、その不透明電極部は、ＡＣＦ（Anisotropic Conductive Film）テープ等の異方性導電膜を介在してガラス基板１１の透明電極部に圧着されている。
【００１７】
液晶パネル１２は、例えば図３に示すように上側および下側ガラス基板１１ａ，１１ｂ間に配向膜を介して液晶１５が充填され、上側ガラス基板１１ａの下面にカラーフィルタ１６を介在して複数の透明Ｙ電極１７が縦方向に設けられ、下側ガラス基板１１ｂの上面に複数のＸ電極１８が横方向に設けられ、液晶１５がマトリックス状に複数の画素に分割されている。上側および下側ガラス基板１１ａ，１１ｂの上下面には偏光フィルタ１９ａ，１９ｂが設けられている。Ｘ電極１８には、図４に示すように各画素４５に対応して反射部４６と透過部４７とが設けられており、反射部４６はアルミ電極で構成されている。各Ｙ電極および各Ｘ電極１７，１８は、駆動ＩＣチップ１３に接続され、駆動ＩＣチップ１３はＦＰＣ１４に接続されている。駆動ＩＣチップ１３の作動により液晶パネル１２のＸ電極は順次共通電極に接続され、Ｙ電極１７には１フレーム毎に正負の制御電圧が順次印加され、共通電極に接続されたＸ電極１８と、電圧が印加されたＹ電極１７とが交差する画素が透光状態となる。これにより、液晶パネル１２が前面、即ち上側ガラス基板１１ａ側から光源により照射されると、照射光は、透光状態の画素ではＸ電極の反射部で反射されて液晶パネル１２の前面から射出される。
【００１８】
なお、液晶パネルには、ノーマルブラックとノーマルホワイトの２種類あり、ノーマルホワイトの液晶パネルでは、共通電極に接続されたＸ電極と、電圧が印加されたＹ電極とが交差する画素が不透光状態となる。また、液晶パネル１２が背面、即ち下側ガラス基板１１ｂ側からバックライトにより照射されると、照射光は、透光状態の画素ではＸ電極の透過部を通過して液晶パネル１２の前面から射出する。
【００１９】
図１に示すように、液晶表示装置用調整装置２０は、バックライトを取付ける前の状態の液晶表示装置１０の液晶パネル１２の前面に照射光を照射する光源装置２１と、受光面２２ａが液晶パネル１２の前面と対向し、液晶パネル１２からの反射光が入射する検出装置としてのフォトセンサ２２と、フォトセンサ２２により検出された反射光量に基づいてフリッカが最小となるように液晶表示装置１０の共通電極の電位を調整する電位調整部２３を備えた本体部２９が設けられている。光源装置２１は、液晶表示装置１０の液晶パネル１２の前面に射光面３４ａから照射光を照射する光源３４を含む。光源３４としては、フォトセンサ２２の感度がよい波長の光を発する白色ＬＥＤを用いるのが好ましい。
【００２０】
なお、バックライトを取付けた状態の液晶表示装置１０において、バックライトを点灯することなく、液晶パネル１２の前面に照射光を光源装置２１により照射し、フォトセンサ２２により検出された液晶パネル１２からの反射光量に基づいてフリッカが最小となるように液晶表示装置１０の共通電極を調整してもよい。
【００２１】
液晶表示装置用調整装置２０の冶具部２４には、液晶表示装置１０のＦＰＣ１４の電極に当接されて電気的に接続される電極を備えたＦＰＣ２５が設けられている。液晶表示装置１０は、ＦＰＣ１４，２５の電極が当接するように冶具部２４に位置決め載置され、ＦＰＣ２５がクランプ装置２６によりＦＰＣ１４に弾機的に押圧されることによって電位調整部２３に接続される。電位調整部２３と冶具部２４とはケーブル２７により電気的に接続されている。
【００２２】
液晶表示装置１０の共通電極の電位を調整するとき、冶具部２４に取り付けられた液晶表示装置１０の液晶パネル１２の前面に照射光を照射するために、天井に光源装置２１およびフォトセンサ２２が取り付けられた箱状のカバー２８が、液晶パネル１２の前面を覆うように液晶表示装置１０に被せられる。カバー２８は、箱状の内部に外部から光が入らないように黒色の遮光部材で形成されている。
【００２３】
光源装置２１は、フォトセンサ２２の受光面２２ａに照射光が直接入射することを防止する直接入射防止手段４３を備えている。即ち、光源３４の射光面３４ａから照射された照射光がフォトセンサ２２の受光面２２ａに直接入射することを防止する構成として、射光面３４ａが液晶パネル１２の前面と略平行な状態で対向するように、光源３４がフォトセンサ２２の側方でカバー２８の天井に取り付けられ、受光面２２ａが射光面３４ａより近い位置で液晶パネル１２の中央部前面と略平行な状態で対向するように、フォトセンサ２２がカバー２８の天井に取り付けられている。この場合の光源３４としては、光源３４及びフォトセンサ２２がカバー２８の天井に取り付けられたとき、射光面３４ａが受光面２２ａより遠い位置で液晶パネル１２の前面と対向するように、薄型面実装ＬＥＤを使用するのが好ましい。
【００２４】
また、直接入射防止手段４３は、図６に示すように、フォトセンサ２２の導光面２２ａにグラッドを有する導光性のある導光板５３が接合され、フォトセンサ２２の受光面２２ａが導光板５３の下面５３ａまで下がるのと同等になることにより、フォトセンサ２２の受光面２２ａが射光面３４ａより近い位置で液晶パネル１２の中央部前面と略平行な状態で対向する構成としてもよい。さらに、図７に示すように、フォトセンサ２２がリード端子を備えたスペーサ５４を介してカバー２８の天井に取り付けられることにより、受光面２２ａが液晶パネル１２の前面と射光面３４ａより近い位置で対向する構成としてもよい。
【００２５】
電位調整部２３は、液晶パネル１２にフリッカの検出に適した映像を表示させるために、かかる映像信号を発生して液晶表示装置１０の駆動ＩＣチップ１３に送出する映像信号発生部３０、フォトセンサ２２からの検出信号を処理してフリッカの大きさに応じた信号を出力する信号出力部３１、液晶表示装置１０の共通電極に印加する共通電位を連続的に変化させるように駆動ＩＣチップ１３に指令する指令部３２、および指令部３２が駆動ＩＣチップ１３に指令した共通電位と、そのとき信号出力部３１から出力された信号とに基づいてフリッカが最小となったときの共通電位を駆動ＩＣチップ１３にセットする電位設定部３３等を備えている。指令部３２は、マウス５０からスクロール５２の回転信号が入力される度に、液晶表示装置１０の共通電極に印加する共通電位を連続的に変化させるように駆動ＩＣチップ１３に指令する。
【００２６】
次に、上記実施の形態に係る液晶表示装置用調整装置２０の作動について説明する。共通電極の電位を調整される液晶表示装置１０が、冶具部２４に位置決め載置され、ＦＰＣ２５がクランプ装置２６によりＦＰＣ１４に圧接され、液晶表示装置１０が本体部２９に接続される。マウス５０の左ボタン５１が長く押されると、指令部３２は液晶表示装置１０の電源スイッチをオンさせる。カバー２８が、液晶パネル１２の前面を覆うように液晶表示装置１０に被せられる。
【００２７】
マウス５０の左ボタン５１がクリック（左クリック）されると、指令部３２は電位調整部２３を作動させるとともに、光源３４を発光させ、液晶パネル１２の前面を照射光により照射させる。このとき、光源３４は、射光面３４ａが液晶パネル１２の前面と略平行な状態で対向し、液晶パネル１２の前面に向かって照射するとともに、フォトセンサ２２は、受光面２２ａが射光面３４ａより液晶パネル１２に近い位置で液晶パネル１２の前面と略平行な状態で対向しているので、光源３４の射光面３４ａから照射された照射光がフォトセンサ２２の受光面に直接入射することを防止することができる。そして、カバー２８により液晶パネル１２の前面が覆れた状態で、液晶パネル１２の前面に照射光が照射されるので、液晶パネル１２からの反射光は外部からの光を遮断した状態でフォトセンサ２２の受光面に入射され、反射光の変化を高感度に検出することができる。
【００２８】
指令部３２は映像信号発生部３０に映像信号発生指令を送出し、映像信号発生部３０はフリッカの検出に適した映像の映像信号を発生して液晶表示装置１０の駆動ＩＣチップ１３にＦＰＣ２５，１４を介して送出する。駆動ＩＣチップ１３は、映像信号に応じて液晶パネル１２のＸ電極１８を共通電極に１フレーム周期で順次接続し、Ｙ電極１７に制御電圧を１水平周期で順次印加することにより、映像を液晶パネル１２に表示させる。このとき、共通電極に接続されたＸ電極１８と、電圧が印加されたＹ電極１７とが交差する画素では透光状態となり、液晶パネル１２に入射された照射光がＸ電極１８の反射部で反射されて明るくなり、電圧が印加されないＹ電極１７に対応する画素では照射光がＸ電極１８の反射部に到達せず反射されないので黒くなる。そして、Ｙ電極１７に印加される制御電圧は、１フレーム毎に正負交互に変わる交流電圧であるので、正負の制御電圧が異なると、１フレーム毎に画面の明るさが相異してフリッカが生じる。このフリッカは、Ｘ電極１８が順次接続される共通電極の共通電位を調整することにより小さくすることができる。
【００２９】
指令部３２にマウス５０からスクロール５２の回転信号が入力される度に、指令部３２は信号を駆動ＩＣチップ１３の共通電位設定端子に入力し、駆動ＩＣチップ１３の共通電位が信号の入力毎に変位される。１フレーム周期は、指令部３２から入力される信号の間隔より十分小さいので、各信号が入力されたときの各共通電位におけるフリッカの大きさを検出することができる。
【００３０】
信号出力部３１は、フォトセンサ２２から出力される液晶パネル１２からの反射光量に応じた検出電流を電流・電圧変換回路により電圧に変換する。フリッカのある映像をフォトセンサ２２で検出した場合、電流・電圧変換回路の出力は、図５（ａ）に示すようにフリッカに応じて微弱に変化する検出電圧３５となる。検出電圧３５は、交流再生回路により直流成分が除去されて図５（ｂ）に示す波形電圧３６となり、増幅回路により図５（ｃ）の増幅波形電圧３７のように増幅される。信号出力部３１は、増幅波形電圧３７について１フレーム周期毎の最大ピーク値と最小ピーク値（Peak to Peak）の差分値をピーク値ホールド回路により検出し、この差分値をフリッカの大きさに応じた信号として出力する。電位設定部３３では、１フレーム周期毎の差分値を順次記憶し、マウス５０から連続して送出された各信号によって駆動ＩＣチップ１３に設定された各共通電位における１フレーム周期毎の差分値を比較し、差分値が最小となったときの共通電圧を駆動ＩＣチップ１３の共通電位設定部に設定する。
【００３１】
上記実施の形態では、フォトセンサ２２の受光面２２ａに照射光が直接入射することを防止する直接入射防止手段４３は、射光面３４ａが液晶パネル１２の前面と対向し、受光面２２ａが射光面３４ａより近い位置で液晶パネル１２の中央部前面と対向するように、光源３４及びフォトセンサ２２がカバー２８の天井に取り付けられて構成されているが、これに限定されるものではない。
【００３２】
図８に示すように、直接入射防止手段４３は、受光面２２ａが液晶パネル１２の中央部前面と略平行な状態で対向するように、フォトセンサ２２がカバー２８の天井に取り付けられ、射光面３４ａが受光面２２ａより液晶パネル１２に近い位置で液晶パネル前面と略平行な状態で対向するように、光源３４がフォトセンサ２２の側方でカバー２８の天井に取り付けられている構成でもよい。この場合の光源３４としては、光源３４及びフォトセンサ２２がカバー２８の天井に取り付けられたとき、射光面３４ａが液晶パネル１２の前面に受光面２２ａより近い位置で対向するように、砲丸タイプのＬＥＤやリード端子タイプの背の高いものを使用するのが好ましい。
【００３３】
これによれば、光源３４は、射光面３４ａが液晶パネル１２の前面と受光面２２ａより近い位置で略平行な状態で対向し、液晶パネル１２の前面に向かって照射し、フォトセンサ２２は、受光面２２ａが液晶パネル１２の前面と略平行な状態で対向しているので、光源３４の射光面３４ａから照射された照射光がフォトセンサ２２の受光面に直接入射することを防止することができる。そして、カバー２８により液晶パネル１２の前面が覆れた状態で、液晶パネル１２の前面に照射光が照射されるので、液晶パネル１２からの反射光は外部からの光を遮断した状態でフォトセンサ２２の受光面に入射され、反射光の変化を高感度に検出することができる。
【００３４】
また、図９に示すように、直接入射防止手段４３は、光源３４の射光面３４ａに導光板５５が接合され、光源３４の射光面３４ａが導光板５５の下面５５ａまで下げられるのと同等になることにより、光源３４の射光面３４ａが受光面２２ａより近い位置で液晶パネル１２の前面と略平行な状態で対向する構成としてもよい。さらに、図１０に示すように、光源３４がスペーサ５６を介してカバー２８の天井に取り付けられることにより、射光面３４ａが液晶パネル１２の前面と受光面２２ａより近い位置で対向する構成としてもよい。
【００３５】
さらに、図１１に示すように、直接入射防止手段４３は、光源３４の射光面３４ａとフォトセンサ２２の受光面２２ａとの間に遮光体５７が配置された構成としてもよい。これによれば、光源３４の射光面３４ａからフォトセンサ２２の受光面２２ａに向かう照射光は遮光体５７により遮断され、照射光が受光面２２ａに直接入射することが防止される。
【００３６】
直接入射防止手段４３は、図１２に示すように、フォトセンサ２２の受光面２２ａと直角な光軸２２ｂと、光源３４の射光面３４と直角な光軸３４ｂとが、液晶パネル１２の前面の法線１２ａに対して等角度傾斜した状態で、受光面２２ａ及び射光面３４ａが液晶パネル１２の前面と対向して配置されている構成としてもよい。
【００３７】
これによれば、射光面３４ａから照射された照射光が、フォトセンサ２２の受光面２２ａに直接入射することを簡素な構成により防止することができるとともに、液晶パネル１２により反射されて受光面２２ａに確実に入射されるので、液晶パネルにより反射された反射光量の変化を高感度に検出することができる。
【００３８】
さらに、図１３に示すように、直接入射防止手段４３は、光源３４からの照射光がハーフミラー５８により屈曲されて液晶パネル１２の前面を照射し、該照射光が液晶パネル１２により反射された反射光がハーフミラー５８を透過してフォトセンサ２２の受光面２２ａに入射される構成としてもよい。これによれば、光源３４からの照射光がフォトセンサ２２の受光面２２ａに直接入射することを確実に防止することができ、液晶パネル１２に入射された照射光がＸ電極１８の反射部で反射された反射光量の変化を一層高感度に検出することができる。
【００３９】
光源装置２１の光源３４としては、図１４に示すように、フォトセンサ２２の周囲に環状の導光体４０を配置し、導光体４０に発光ダイオード４１が発する光を外周面の複数個所、例えば、直径方向に離れた２箇所から導入して導光体４０を発光させる構成としてもよい。これによれば、フォトセンサ２２の周囲に配置された導光体４０を発光ダイオード４１からの光により発光させるので、液晶パネル１２からの反射光がフォトセンサ２２の受光面に周囲から入射して、反射光にムラがなくなり、反射光量の変化を高精度に検出することができる。導光体４０を発光させる発光体は、発光ダイオード４１に限定されるものではなく、蛍光ランプ、白熱ランプ、ハロゲンランプなど、光量が電流により制御される発光体であればよい。
【００４０】
また、検出装置は、フォトセンサに限られるものではなく、ＣＣＤカメラ、ＣＭＯＳカメラ等を用いてもよい。
【図面の簡単な説明】
【００４１】
【図１】本発明に係る液晶表示装置用調整装置の実施の形態を示す図。
【図２】液晶表示装置を示す図。
【図３】液晶パネルの断面図。
【図４】各画素のＸ電極を示す図。
【図５】フォトセンサからの出力電流を処理した各段階の信号を示す図。
【図６】導光板によって、フォトセンサの受光面が光源の射光面より近い位置で液晶パネルの前面と対向するようにした構成の直接入射防止手段を示す図。
【図７】スペーサによって、フォトセンサの受光面が光源の射光面より近い位置で液晶パネルの前面と対向するようにした構成の直接入射防止手段を示す図。
【図８】光源の射光面がフォトセンサの受光面より近い位置で液晶パネルの前面と対向する構成の直接入射防止手段を示す図。
【図９】導光板によって、光源の射光面がフォトセンサの受光面より近い位置で液晶パネルの前面と対向するようにした構成の直接入射防止手段を示す図。
【図１０】スペーサによって、光源の射光面がフォトセンサの受光面より近い位置で液晶パネルの前面と対向するようにした構成の直接入射防止手段を示す図。
【図１１】光源とフォトセンサとの間に遮光体を配置した例を示す図。
【図１２】フォトセンサの受光面と光源の射光面を液晶パネルの前面に対して等角度傾斜させた構成の直接入射防止手段を示す図。
【図１３】ハーフミラーを用いた直接入射防止手段を示す図。
【図１４】発光ダイオードと導光体で構成した光源を示す図。
【符号の説明】
【００４２】
１０…液晶表示装置、１１，１１ａ，１１ｂ…ガラス基板、１２…液晶パネル、１２ａ…液晶パネルの前面の法線、１３…駆動ＩＣチップ、１４，２５…ＦＰＣ、１５…液晶、１７…Ｙ電極、１８…Ｘ電極、２０…液晶表示装置用調整装置、２１…光源装置、２２…フォトセンサ（検出装置）、２２ａ…受光面、２２ｂ…光軸、２３…電位調整部、２４…冶具部、２６…クランプ装置、２８…カバー、３０…映像信号発生部、３１…信号処理部、３２…指令部、３３…電位設定部、３４…光源、３４ａ…射光面、３４ｂ…光軸、４０…導光体、４１…発光ダイオード、４５…画素、４６…反射部、４７…透過部、４８…遮光体、５０…マウス、５１…左ボタン、５３，５５…導光板、５４，５６…スペーサ、５７…遮光体、５８…ハーフミラー。
【図１】
2007240627.tif 000003
【図２】
2007240627.tif 000004
【図３】
2007240627.tif 000005
【図４】
2007240627.tif 000006
【図５】
2007240627.tif 000007
【図６】
2007240627.tif 000008
【図７】
2007240627.tif 000009
【図８】
2007240627.tif 000010
【図９】
2007240627.tif 000011
【図１０】
2007240627.tif 000012
【図１１】
2007240627.tif 000013
【図１２】
2007240627.tif 000014
【図１３】
2007240627.tif 000015
【図１４】
2007240627.tif 000016